(57)【特許請求の範囲】
【請求項１】
記録媒体へのアクセスを制御する方法において、
各々が未知の規則を含んでいる複数のアクセス制御情報を識別するステップであって、前記未知の規則は、ドライブが前記記録媒体へアクセスを試みるときに前記アクセス制御情報を認識することができない該ドライブの動作範囲を指定し、前記未知の規則は、前記記録媒体の領域への前記ドライブのアクセス動作が許容されているか否かを示しており、前記アクセス制御情報は、第１のアクセス制御情報および第２のアクセス制御情報を含んでおり、前記第１のアクセス制御情報は、前記第１のアクセス制御情報の前記未知の規則が適用される、前記記録媒体のユーザデータ領域の中の第１のセグメント領域の位置を識別する第１のセグメントフィールドを含み、前記第２のアクセス制御情報は、前記第２のアクセス制御情報の前記未知の規則が適用される、前記ユーザデータ領域の中の第２のセグメント領域の位置を識別する第２のセグメントフィールドを含み、前記第１のセグメントフィールトおよび前記第２のセグメントフィールドは、前記第１のセグメント領域および前記第２のセグメント領域を、前記第１のセグメント領域が前記第２のセグメント領域と重複するように指定しているステップと、
前記第１のアクセス制御情報および前記第２のアクセス制御情報における両方の前記未知の規則がアクセスを許可するとき、前記第１のセグメント領域と前記第２のセグメント領域との前記重複領域へアクセスするステップと
を備えることを特徴とする方法。
【請求項２】
前記アクセス動作は、読み取り動作および書き込み動作を含むことを特徴とする請求項１に記載の方法。
【請求項３】
前記アクセス制御情報は、前記アクセス制御情報の状態および識別コードを与える識別フィールドをさらに含むことを特徴とする請求項１に記載の方法。
【請求項４】
前記第１のセグメントフィールドおよび前記第２のセグメントフィールドの各々は、前記第１のセグメント領域および前記第２のセグメント領域のそれぞれの最初の物理的セクタ番号と、最後の物理的セクタ番号とを含むことを特徴とする請求項１に記載の方法。
【請求項５】
記録媒体へ記録しおよび／または記録媒体から再生する方法において、
各々が未知の規則を含んでいる複数のアクセス制御情報を識別するステップであって、前記未知の規則は、ドライブが前記記録媒体へアクセスを試みるときに前記アクセス制御情報を認識することができない該ドライブの動作範囲を指定し、前記未知の規則は、前記記録媒体の領域への前記ドライブのアクセス動作が許容されているか否かを示しており、前記アクセス制御情報は第１のアクセス制御情報および第２のアクセス制御情報を含んでおり、前記第１のアクセス制御情報は、前記第１のアクセス制御情報の前記未知の規則が適用される、前記記録媒体のユーザデータ領域の中の第１のセグメント領域の位置を識別する第１のセグメントフィールドを含み、前記第２のアクセス制御情報は、前記第２のアクセス制御情報の前記未知の規則が適用される、前記ユーザデータ領域の中の第２のセグメント領域の位置を識別する第２のセグメントフィールドを含み、前記第１のセグメントフィールトおよび前記第２のセグメントフィールドは、前記第１のセグメント領域および前記第２のセグメント領域を、前記第１のセグメント領域が前記第２のセグメント領域と重複するように指定しているステップと、
前記第１のアクセス制御情報および前記第２のアクセス制御情報における両方の前記未知の規則がアクセスを許可するとき、前記第１のセグメント領域と前記第２のセグメント領域との前記重複領域へアクセスするステップと
を備えることを特徴とする方法。
【請求項６】
前記アクセス制御情報は、前記アクセス制御情報の状態および識別コードを与える識別フィールドをさらに含むことを特徴とする請求項５に記載の方法。
【請求項７】
前記第１のセグメントフィールドおよび前記第２のセグメントフィールドの各々は、前記第１のセグメント領域および前記第２のセグメント領域のそれぞれの最初の物理的セクタ番号と、最後の物理的セクタ番号とを含むことを特徴とする請求項５に記載の方法。
【請求項８】
記録媒体へ記録しおよび／または記録媒体から再生する装置であって、
光学デバイスと、
各々が未知の規則を含んでいる複数のアクセス制御情報に従って、前記光学デバイスを制御するコントローラであって、前記未知の規則は、前記装置が前記記録媒体へアクセスを試みるときに前記アクセス制御情報を認識することができない前記装置の動作範囲を指定し、前記未知の規則は、前記記録媒体の領域への前記装置のアクセス動作が許容されているか否かを示しており、前記アクセス制御情報は第１のアクセス制御情報および第２のアクセス制御情報を含んでおり、前記第１のアクセス制御情報は、前記第１のアクセス制御情報の前記未知の規則が適用される、前記記録媒体のユーザデータ領域の中の第１のセグメント領域の位置を識別する第１のセグメントフィールドを含み、前記第２のアクセス制御情報は、前記第２のアクセス制御情報の前記未知の規則が適用される、前記ユーザデータ領域の中の第２のセグメント領域の位置を識別する第２のセグメントフィールドを含むコントローラと
を備え、
前記第１のセグメントフィールトおよび前記第２のセグメントフィールドは、前記第１のセグメント領域および前記第２のセグメント領域を、前記第１のセグメント領域が前記第２のセグメント領域と重複するように指定しており、前記コントローラは、前記第１のアクセス制御情報および前記第２のアクセス制御情報における両方の前記未知の規則がアクセスを許可するとき、前記第１のセグメント領域と前記第２のセグメント領域との前記重複領域へのアクセスを許可することを特徴とする装置。
【請求項９】
前記アクセス制御情報は、前記アクセス制御情報の状態および識別コードを与える識別フィールドをさらに含むことを特徴とする請求項８に記載の装置。
【請求項１０】
前記第１のセグメントフィールドおよび前記第２のセグメントフィールドの各々は、前記第１のセグメント領域および前記第２のセグメント領域のそれぞれの最初の物理的セクタ番号と、最後の物理的セクタ番号とを含むことを特徴とする請求項８に記載の装置。
【請求項１１】
前記記録媒体への記録および／または前記記録媒体からの再生のコマンドを生成し、前記コマンドを前記コントローラに送信するよう構成されたホストデバイス
をさらに備えたことを特徴とする請求項８に記載の装置。
【発明の詳細な説明】
【技術分野】
【０００１】
本発明は、ＰＡＣ（Ｐｈｙｓｉｃａｌ  Ａｃｃｅｓｓ  Ｃｏｎｔｒｏｌ）および記録データに対する管理と、ＰＡＣおよび記録データを含む媒体（ブルーレイディスクなどの高密度光ディスク）と、この媒体にデータを記録および／または再生する装置並びに方法に関する。
【背景技術】
【０００２】
大容量のデータを記録するために、例えば光ディスクなどの媒体が用いられる。利用可能な光ディスクのうち、高画質のビデオデータおよび／または高音質のオーディオデータを大量記録および／または保存できる新たな高密度光記録媒体（ＨＤ−ＤＶＤ）（例えば、ブルーレイディスク（以下、”ＢＤ”とする））が開発されている。
【０００３】
ブルーレイディスクには、書き換え可能なブルーレイディスク(ｒｅｗｒｉｔａｂｌｅ  Ｂｌｕ−ｒａｙ  ｄｉｓｃ：ＢＤ−ＲＥ)と、追記型のブルーレイディスク（Ｂｌｕ−ｒａｙ  ｄｉｓｃ  ｗｒｉｔｅ  ｏｎｃｅ：ＢＤ−ＷＯ）と、再生専用のブルーレイディスク（Ｂｌｕ−ｒａｙ  ｄｉｓｃ  ｒｅａｄ  ｏｎｌｙ）（ＢＤ−ＲＯＭ）などがある。
【発明の開示】
【発明が解決しようとする課題】
【０００４】
しかしながら、従来のシステムには、バージョンの異なるドライブ間には互いに互換性がないという問題点がある。例えば、以前の古い機能を備えた旧バージョンのドライブと、後の新しい機能の１つ以上を備えたドライブとデータをやり取りした媒体が相互作用するには、困難があった。
【課題を解決するための手段】
【０００５】
本発明は、上記のような従来の問題点に鑑みてなされたものであって、本発明の実施形態では、高密度光ディスクなどの媒体上にセグメント情報を含むＰＡＣが提供され、同一のＰＡＣクラスタの各セグメントが互いに重複しない媒体のユーザデータ領域の少なくとも１つのセグメントを識別するためのセグメント情報を含むＰＡＣクラスタを用いて、媒体にデータを記録および再生する装置並びに方法を提供する。
【０００６】
また、本発明の実施形態では、高密度光ディスクなどの媒体上にセグメント情報を含むＰＡＣクラスタが提供されえる。第１のＰＡＣクラスタの少なくとも１つのセグメントと、第２のＰＡＣクラスタの少なくとも１つのセグメントとが重複する媒体上のセグメント情報を含むＰＡＣクラスタを用いて、媒体にデータを記録および再生する装置並びに方法を提供する。
【０００７】
また、本発明の実施形態は、データの保護特性、データの管理特性および再生の互換性を向上させ、データの破壊を防止し、不要な反復動作を減少させるためにセグメント情報が記録されるＰＡＣクラスタを提供する。
【０００８】
また、本発明の実施形態では、高密度光ディスクなどの媒体と、セグメント情報とを含むＰＡＣの管理装置および方法を提供する。
【０００９】
一実施形態によると、本発明は、記録媒体のデータ領域管理のためのデータ構造を有する記録媒体において、記録媒体の記録および／または再生を管理する情報を含む少なくとも１つのＰＡＣ（Ｐｈｙｓｉｃａｌ  Ａｃｃｅｓｓ  Ｃｏｎｔｒｏｌ）クラスタを備える。各ＰＡＣクラスタは、ユーザデータ領域内の少なくとも１つのセグメントを識別するセグメント情報を含み、同一のＰＡＣクラスタのセグメントは、互いに重複しない。
【００１０】
また、一実施形態によると、本発明は、記録媒体のアクセス制御方法を提供する。この方法は、第１のおよび第２の物理的アクセス制御（ＰＡＣ）クラスタを識別するステップであって、各々のＰＡＣクラスタは記録媒体のユーザデータ領域における非重複セグメントを識別するセグメント情報を含み、第１のＰＡＣクラスタの少なくとも１つのセグメントは、第２のＰＡＣクラスタの少なくとも１つのセグメントと重複しているステップと、少なくとも１つの重複規則に従って、第１のＰＡＣクラスタおよび第２のＰＡＣクラスタの少なくとも１つのセグメントの重複領域に対するアクセスを制御するステップとを含む。
【００１１】
また、一実施形態によると、本発明は、記録媒体上での記録方法を提供する。本方法は、第１のおよび第２の物理的アクセス制御（ＰＡＣ）クラスタを識別するステップであって、各々のＰＡＣクラスタは記録媒体のユーザデータ領域における非重複セグメントを識別するセグメント情報を含み、第１のＰＡＣクラスタの少なくとも１つのセグメントは、第２のＰＡＣクラスタの少なくとも１つのセグメントと重複しているステップと、両方のＰＡＣクラスタが前記少なくとも１つのセグメントに対する記録を許可する場合、第１のＰＡＣクラスタの前記少なくとも１つのセグメントおよび第２のＰＡＣクラスタの前記少なくとも１つのセグメントの重複領域に対する記録を行うステップと、を含む。
【００１２】
また、一実施形態によると、本発明は、記録媒体からの再生方法を提供する。この方法は、第１のおよび第２の物理的アクセス制御（ＰＡＣ）クラスタを識別するステップであって、各々のＰＡＣクラスタは記録媒体のユーザデータ領域における非重複セグメントを識別するセグメント情報を含み、第１のＰＡＣクラスタの少なくとも１つのセグメントは、第２のＰＡＣクラスタの少なくとも１つのセグメントと重複しているステップと、両方のＰＡＣクラスタが前記少なくとも１つのセグメントからの再生を許可する場合、第１のＰＡＣクラスタの前記少なくとも１つのセグメントおよび第２のＰＡＣクラスタの前記少なくとも１つのセグメントの重複領域から再生を行うステップと、を含む。
【００１３】
また一実施形態によると、本発明は、データ領域を有する記録媒体の記録および／または再生装置を提供する。この装置は、第１および第２のＰＡＣを含む少なくとも１つのＰＡＣクラスタに基づいて記録または再生を制御するコントローラと、この記録媒体に対して記録または再生を行うピックアップとを備える。ここで、第１のＰＡＣクラスタによって定義されるデータ領域内の少なくとも１つのセグメントと、第２のＰＡＣクラスタによって定義されるデータ領域内の少なくとも１つのセグメントとが重複する場合、第１および第２のＰＡＣクラスタの少なくとも１つのセグメントのうちいずれか１つでも記録または再生が許可されないと、重複領域に対する記録または再生は許可されない。
【００１４】
本発明に係る前述の一般的な説明および後述する実施例は、１つの例に過ぎないことに留意されたい。以下、本発明について詳しく説明する。
【発明の効果】
【００１５】
以上説明したように、本発明の実施形態に係る追記型の高密度光ディスクの記録再生方法および装置においては、ＰＡＣを用いて異なるバージョンのドライブのためのディスクのアクセス可能な領域を定義することで、ユーザデータの記録されたデータ領域を一層確実に保護することができ、例えば、不正なアクセス（例えばハッキング）を防止または減少させることができるという効果がある。
【００１６】
さらに、ディスクのデータ領域全体または所定領域を管理するＰＡＣを用いることで、高密度光ディスクで一層効率的なデータの記録および／または再生を行うことができる。
【発明を実施するための最良の形態】
【００１７】
以下、図面を参照しながら、本発明の実施の形態について詳しく説明する。なお、図面全体において同一または類似する構成要素には同一の符号を付し、それに対する説明は省略する。
【００１８】
一実施形態において、”物理的アクセス制御（Ｐｈｙｓｉｃａｌ  Ａｃｃｅｓｓ  Ｃｏｎｔｒｏｌ：ＰＡＣ)”という用語は、その通常のそして慣習的な意味の他にも、ディスクの物理的領域内の特定のセグメントまたはディスク全体に対するデータの記録および再生を管理／制御するために、ディスクに記録される付加的な情報の意味をも含む。”物理的アクセス制御”は、単純に”ＰＡＣ”、”ＰＡＣ情報”および／または”ＰＡＣ制御情報”とも称する。また、ＰＡＣが記録されるディスク内の領域は、”ＰＡＣ領域（ＰＡＣ  ｚｏｎｅ）”と称し、ＰＡＣ領域にクラスタ単位で記録されるＰＡＣは、簡単に”ＰＡＣクラスタ”と称する。
【００１９】
また、本発明の実施形態によるＰＡＣは、旧バージョン（例えば、レガシーバージョン）ドライブを含み、特に、未知のＰＡＣ_ＩＤを有するドライブに対し、特定のセグメントまたはディスク全体に対するデータの読み取り／書き込みを制限することができる”未知の規則（ｕｎｋｎｏｗｎ  ｒｕｌｅ）”を含む。”未知の規則”が適用されたＰＡＣは、”未知のＰＡＣ”と称する。これと同様に、ＰＡＣに記録された既知の特定のＰＡＣ_ＩＤ（ｋｎｏｗｎ  ｓｐｅｃｉｆｉｃ  ＰＡＣ_ＩＤ）を”既知の規則（ｋｎｏｗｎ  ｒｕｌｅ）”と称し、このＰＡＣに適用される”ＰＡＣ特定情報（ＰＡＣ  ｓｐｅｃｉｆｉｃ  ｉｎｆｏｒｍａｔｉｏｎ）”を”既知のＰＡＣ”と称する。
【００２０】
上述のＰＡＣがＰＡＣ領域に記録される形態ならびにこれを用いたデータの記録再生方法および装置を、以下、図面に基づいて説明する。
【００２１】
図１Ａおよび図１Ｂは、本発明の一実施形態による高密度光ディスク上のＰＡＣ領域を示す図である。
【００２２】
図１Ａに示すように、高密度光ディスクは、内周から外周に向かって、リードインエリアと、データ領域と、リードアウトエリアとに区分される。また、リードインエリアは、様々な情報を記録するためのＩＮＦＯ１領域と、ＩＮＦＯ２領域とに区分される。ここで、ＩＮＦＯ２領域およびＩＮＦＯ１領域は、ＰＡＣ領域を含んでいる。
【００２３】
便宜上、ＩＮＦＯ２領域に割り当てられたＰＡＣ領域をＰＡＣ２領域と表記し、ＩＮＦＯ１領域に割り当てられたＰＡＣ領域をＰＡＣ１領域と表記する。ＰＡＣ２領域およびＰＡＣ１領域のうち１つには、オリジナルのＰＡＣ（ｏｒｉｇｉｎａｌ  ＰＡＣ）が記録され、残りの１つにはオリジナルＰＡＣのコピーを記録するバックアップ領域が含まれる。ディスクの内周から外周方向へ記録する場合、オリジナルのＰＡＣがＰＡＣ２領域に記録され、バックアップＰＡＣがＰＡＣ１領域に記録されると都合が良い。
【００２４】
図１Ｂは、２つの記録層を持つ２層ディスクの構造を示した図である。２層ディスクには、第１の記録層（Ｌ０：Ｌａｙｅｒ  ０）および第２の記録層（Ｌ１：Ｌａｙｅｒ  １）を備えており、それぞれの記録層には、リードインエリア／リードアウトエリア（インナー領域ともいう）、データ領域およびアウター領域０、１が含まれる。
【００２５】
リードインエリア（インナー領域０）およびリードアウトエリア（インナー領域１）それぞれには、ディスクの管理情報が記録されるＩＮＦＯ２領域およびＩＮＦＯ１領域が含まれる。そして、それぞれのＩＮＦＯ２領域および／またはＩＮＦＯ１領域には各ＰＡＣ領域が配置される。
【００２６】
１層ディスクと同様に、ＩＮＦＯ２領域に割り当てられたＰＡＣ領域をＰＡＣ２領域と表記し、ＩＮＦＯ１領域に割り当てられたＰＡＣ領域をＰＡＣ１領域と表記する。ＰＡＣ２領域およびＰＡＣ１領域のうち１つにはオリジナルのＰＡＣが記録され、残りの１つにはオリジナルのＰＡＣのコピーを記録するためのバックアップ領域が含まれる。ディスクの内周から外周方向に向かって記録する場合、オリジナルのＰＡＣがＰＡＣ２領域に記録され、バックアップＰＡＣがＰＡＣ１領域に記録されると都合が良い。
【００２７】
図１Ｂに示した例で、ＰＡＣ１領域およびＰＡＣ２領域は、２層ディスクのリードインエリアのみならず、リードアウトエリアにも存在する。したがって、２層ディスクのＰＡＣのサイズは１層ディスクの２倍となる。
【００２８】
ＰＡＣ領域は、新しいバージョンのドライブ装置と互換性のある機能を追加したディスク上の機能を旧バージョンのドライブ装置が検出できないときに、起こり得る問題に対処するために提供される。ＰＡＣ領域は、１つ以上の”未知の規則”を用いて互換性問題に対処する。
【００２９】
“未知の規則”は、ディスク上の予測可能な動作、例えば、読み取り、書き込みなどの基本的な制御と、欠陥領域の線形交替（ｌｉｎｅａｒ  ｒｅｐｌａｃｅｍｅｎｔ）と、論理的上書き（ｌｏｇｉｃａｌ  ｏｖｅｒｗｒｉｔｅ）などを制御するために用いられる。また、”未知の規則”を適用できる領域がディスク上に備えられる。例えば、ディスクの所定領域またはディスク全体を定義するためのセグメントが提供される。これについては、以下に詳しく説明する。
【００３０】
”未知の規則”によって管理されるディスクの領域には、ＤＭＡ（Ｄｉｓｃ  Ｍａｎａｇｅｍｅｎｔ  Ａｒｅａ）領域、スペア領域（Ｓｐａｒｅ  Ａｒｅａ）、ユーザデータ領域（Ｕｓｅｒ  Ｄａｔａ  Ａｒｅａ)および／またはこれらに類似した領域がある。
【００３１】
旧バージョンのドライブ装置が”未知の規則”を用いてアクセスできるディスク上の領域を定義することによって、新しいバージョンの光ディスクは旧バージョンのドライブ装置の不要なアクセス動作を減少させる。
【００３２】
さらに、旧バージョンのドライブ装置がＰＡＣを用いてアクセスできる領域をディスクの物理的領域上に定義することによって、ユーザデータが記録されたデータ領域を一層確実に保護するようになり、ディスクに対する不正なアクセス（例えば、ハッキング）を防止または減少させることができる。
【００３３】
以下、リードインエリア内でＰＡＣ２領域およびＰＡＣ１領域を含むＩＮＦＯ２領域およびＩＮＦＯ１領域を、高密度光ディスクの記録可能特性の観点から説明する。
【００３４】
図２は、本発明の一実施形態による高密度光ディスク上のＩＮＦＯ２領域およびＩＮＦＯ１領域の構成を示す図である。
【００３５】
図２に示すように、書き換え可能なブルーレイディスク（ＢＤ−ＲＥ）の場合、ＩＮＦＯ２領域は、ＰＡＣ２領域の３２クラスタ、欠陥管理のためのＤＭＡ（Ｄｉｓｃ  Ｍａｎａｇｅｍｅｎｔ  Ａｒｅａ）２領域の３２クラスタ、制御情報が記録されたＣＤ（ｃｏｎｔｒｏｌ  ｄａｔａ）２領域の３２クラスタ、バッファ領域であるＢＺ（ｂｕｆｆｅｒ  ｚｏｎｅ）３の３２クラスタを含め、合計２５６クラスタを持っている。
【００３６】
ＩＮＦＯ１領域は、バッファ領域のＢＺ２領域の３２クラスタ、ドライブに固有の情報を保存するドライブ領域の３２クラスタ、欠陥を管理するＤＭＡ１領域の３２クラスタ、制御情報を記録するＣＤ１領域の３２クラスタおよび／またはＰＡＣ領域として活用できるＢＺ１-ＰＡＣ１領域を含む。
【００３７】
追記型の高密度光ディスク（例えばＢＤ−Ｒ）については、ＩＮＦＯ２領域は、ＰＡＣ２領域、ＤＭＡ２領域、ＣＤ２領域およびＢＺ３領域それぞれの３２クラスタを含め、合計２５６クラスタを持っている。ＩＮＦＯ１領域は、ＢＺ２領域、ＤＭＡ１領域、ＣＤ１領域および／またはＢＺ１-ＰＡＣ１領域それぞれの３２クラスタと、ドライブ領域の１２８クラスタと、を含んでいる。
【００３８】
再生専用の高密度光ディスク（例えばＢＤ−ＲＯＭ）については、ＩＮＦＯ２領域は、ＰＡＣ２領域、ＣＤ２領域、ＢＺ３領域それぞれの３２クラスタを含め、合計２５６クラスタを持っている。ＩＮＦＯ１領域は、ＣＤ１領域および／またはＢＺ１-ＰＡＣ１領域それぞれの３２クラスタを含め、合計２５６クラスタを持っている。
【００３９】
本発明の実施形態におけるＰＡＣ領域は、高密度光ディスクの書き換え可能な特性に従って、リードインエリア内のＩＮＦＯ２領域および／またはＩＮＦＯ１領域にそれぞれ３２クラスタを有するように割り当てられる。
【００４０】
２つの記録層を有する２層ディスクの場合、ＰＡＣ領域は、リードインエリアだけでなく、リードアウトエリアにも指定されるので、１つのＰＡＣ領域が６４クラスタを有するようになる。
【００４１】
３２（または６４）のクラスタのＰＡＣ領域内において、複数の有効なＰＡＣを記録するために、１つのＰＡＣが１つのクラスタを持つことができる。必要に応じて、複数の１クラスタサイズのＰＡＣが存在できる。以下、１つのＰＡＣが１つのクラスタとして記録される構造例を、図３を参照しながら説明する。
【００４２】
図３は、本発明の一実施形態による高密度光ディスクに記録される１つのＰＡＣの構造を示している。図３に示すように、１つのクラスタの大きさ（３２セクタ）を持つ１つのＰＡＣは、ヘッダ領域と、特定のディスクドライブ（例えば、光ディスクドライブ）に固有の特定情報領域とを含む。”未知のＰＡＣ規則”およびセグメントに対する情報などの様々な種類のＰＡＣ情報を記録するために、ＰＡＣヘッダ領域には、そのＰＡＣの最初のセクタに３８４バイトが割り当てられる。ＰＡＣ領域の他の領域には、”既知の規則”という（光）ディスクドライブに固有の情報が記録される。
【００４３】
上記の構造で記録されたＰＡＣの構造例を、図４を参照して説明する。説明の便宜上、より詳細な説明を必要とするＰＡＣの特定のフィールドについては、その特定のフィールドを示す図面を参照して説明する。
【００４４】
図４は、本発明の一実施形態による高密度光ディスク上の１つのＰＡＣの構造を示している。図４に示すように、ＰＡＣは、全てのＰＡＣに適用されるヘッダ部分（例えば、最初のフレームの３８５バイトまで）と、ドライブに固有の情報が記録される領域と、を含む。
【００４５】
ヘッダ部分は、例えば、”ＰＡＣ_ＩＤ”の４バイト、”未知のＰＡＣ規則”の４バイト、”全体ディスク全体フラグ”（Entire_Disc_Flags）の１バイト、”セグメント数(Number of Segments)”の１バイトおよび／または３２個の”セグメント_０”〜”セグメント_３１”それぞれの８バイトを含む。
【００４６】
”ＰＡＣ_ＩＤ”は、現在のＰＡＣの状態および識別コードを備える。例えば、”ＰＡＣ_ＩＤ”が‘００  ００  ００  ００ｈ'であると、”ＰＡＣ_ＩＤ”は、現在のＰＡＣが使用されていないことを示す。”ＰＡＣ_ＩＤ”が‘ＦＦ  ＦＦ  ＦＦ  ＦＥｈ’であると、”ＰＡＣ_ＩＤ”は、現在のＰＡＣゾーンがたとえ以前に使用されていたとしても、再び利用できることを示す。
【００４７】
‘５４  ５３  ５４  ００ｈ'などの所定のビットで”ＰＡＣ_ＩＤ”を記録することによって、”ＰＡＣ_ＩＤ”は、現在のドライブが自由にアクセス可能なディスクであるかどうかを決定するためのコードとして用いられる。すなわち、現在のドライブが、上記のように適用される”ＰＡＣ_ＩＤ”を認識できず、現在のドライブがバージョンの不一致などの理由によって現在のＰＡＣを認識できない場合と判断すると、‘５４  ５３  ５４  ００ｈ'ビットは、”未知のＰＡＣ規則”フィールド内に記録された情報を参照することを要求するコードとして用いられる。
【００４８】
上述したように、”未知のＰＡＣ規則”フィールドは、現在のＰＡＣを認識できないドライブの動作範囲を指定するフィールドとして用いられる。以下、これに対しては図５を参照しながら具体的に説明する。
【００４９】
図５は、本発明の一実施形態による”未知のＰＡＣ規則”フィールドの構造を示している。図５に示すように、ディスク上の様々な領域の制御可能性の程度は、”未知のＰＡＣ規則”によって決定される。例えば、図５において、”領域”の列はディスク上の制御可能領域を示し、”制御”の列は読み取り／書き込みなどの制御タイプを示し、”ビット数”の列は制御に必要なビット数を示す。”ビット数”の列で追加されたビットは、記録／再生面が２つの２層ディスクの場合を示す。
【００５０】
”未知のＰＡＣ規則”は、ディスク上の様々な領域を制御するために用いられる。例えば、”未知のＰＡＣ規則”は、ＩＮＦＯ１、ＩＮＦＯ２、ＩＮＦＯ３および／またはＩＮＦＯ４領域内におけるディスク管理領域（ＤＭＡ）（ディスク定義構造（Ｄｉｓｃ  Ｄｅｆｉｎｉｔｉｏｎ  Ｓｔｒｕｃｔｕｒｅ：ＤＤＳ）を含むかまたは含まない）関する記録制御の可能性を示す。さらに、”未知のＰＡＣ規則”は、データ領域内におけるスペア領域に関する記録制御の可能性を示し、ＩＮＦＯ１、ＩＮＦＯ２、ＩＮＦＯ３および／またはＩＮＦＯ４領域内における制御データ（ＣＤ）領域に関する記録および／または再生制御の可能性を示す。”未知のＰＡＣ規則”は、データ領域内におけるユーザデータ領域に関する記録および／または再生制御の可能性を示す。また、”未知のＰＡＣ規則”は、ＩＮＦＯ１および／またはＩＮＦＯ２領域内におけるＰＡＣクラスタに関する記録および／または再生制御の可能性を示すこともできる。
【００５１】
ユーザデータ領域の一例によれば、後述するディスク上の”特別な”領域であるセグメント領域が定義されると、このユーザデータ領域は、このセグメント領域に対する記録および／または再生制御の可能性を示すための領域として用いられ、必ずしもユーザデータ領域全体に対するものである必要はない。
【００５２】
書き込み制御可能性は、書き換え可能なディスクであるＢＤ−ＲＥおよびＢＤ−Ｒのみに適用できる。欠陥領域に対する交替領域の書き込み制御の可能性も書き換え可能なディスクであるＢＤ−ＲＥおよびＢＤ−Ｒに適用できる。結果的に、本発明の様々な特徴は、高密度（光）ディスクの書き換え可能特性に依存することができる。
【００５３】
上記の技術を用いると、バージョンが一致しないドライブのためのディスク上の制御可能な領域を”未知のＰＡＣ規則”フィールドによって指定できるようになる。また、このような技術は、ユーザの選択によってディスク上の特定の物理的領域へのアクセスを制御するために適用することもできる。
【００５４】
図４を再び参照すると、”ＰＡＣ更新回数（PAC Update Count）”フィールドは、ＰＡＣの更新回数を示し、最初に０が記録された後、ＰＡＣが再記録されるごとに１つずつ増加できる。
【００５５】
また、図４において、”全体ディスクフラグ(Entire_Disc_Flags)”フィールドは、ＰＡＣがディスク全体の領域に適用可能であることを示すフィールドとして用いられ、”セグメント数(Number of Segments)”フィールドは、ＰＡＣが適用されるセグメント領域の数を示すフィールドである。
【００５６】
一実施形態によると、最大個数のセグメントを１つのＰＡＣに割り当てることができる。一実施形態によると、最大３２セグメントが１つのＰＡＣに割り当てられ、この割り当てられたセグメントに対する情報は、それぞれ８ビットを含む”セグメント_０”から”セグメント_３１”までのフィールドに記録される。各”セグメント_０〜３１”フィールドには、割り当てられたセグメント領域の最初の物理的セクタ番号（ＰＳＮ）および最後の物理的セクタ番号が記録される。
【００５７】
以下、セグメントについて具体的に説明する。図６は、本発明の一実施形態による高密度光ディスクのセグメント領域を示している。
【００５８】
図６に示すように、高密度光ディスク上でＰＡＣが適用されるセグメント領域は、必要によって最大個数（例えば３２）のセグメント領域であり得る。この最大数のセグメント領域は、”セグメント０”から開始される。
【００５９】
１つのＰＡＣによって管理されるセグメントは、”Ｓｅｇｍｅｎｔ  ０”から始めて昇順に最大数のセグメントまで割り当てられる。複数のＰＡＣが存在する場合も、それぞれのＰＡＣによって管理されるセグメント領域の総数は、上述した最大のセグメント数を越えない。
【００６０】
例えば、割り当てられたセグメント領域の開始位置を示す最初の物理的セクタ番号（ＰＳＮ）と、最後の位置を示す最後の物理的セクタ番号（ＰＳＮ）を、”セグメント”フィールドに記録することによって、光ディスクドライブがセグメント領域の位置を把握できるようにする。
【００６１】
配置の一例によれば、割り当てられた複数のセグメントは、互いに重複する必要がなく、その開始位置および最後位置は、クラスタ間の境界部分に指定される。
【００６２】
このように、本発明の実施形態では、複数（例えば、３２）のセグメント領域を管理するために複数のＰＡＣを備えることができる。以下、これについてより具体的に説明する。
【００６３】
図７は、本発明の一実施形態による高密度光ディスク上の１つのＰＡＣ領域を示している。
【００６４】
図７に示すように、それぞれ共通のクラスタサイズを持つ複数の有効ＰＡＣは、３２クラスタからなる１つのＰＡＣ領域（例えば、ＩＮＦＯ２またはＩＮＦＯ１のＰＡＣ領域）に記録される。
【００６５】
上述したように、有効（ｖａｌｉｄ）ＰＡＣは、様々な種類のＰＡＣ情報を含む領域として定義され、それぞれ１クラスタの大きさを有する最大個数（例えば３２または６４（２層ディスクの場合））の有効ＰＡＣがディスク上に備えられる。１つのＰＡＣ領域には、１クラスタサイズが割り当てられる。
【００６６】
また、有効ＰＡＣは、上述したように、ＰＡＣが記録された光ディスクのドライブバージョンに従って、先に選択されたＰＡＣ_ＩＤ（例えば、ＰＡＣ_ＩＤ＝５４  ５３  ５４  ００ｈ）を持っており、残りのＰＡＣ領域には、ＰＡＣ_ＩＤが００  ００  ００  ００ｈまたはＦＦ  ＦＦ  ＦＦ  ＦＦｈであるＰＡＣが記録される。未だ記録されてないＰＡＣ領域は、未記録のＰＡＣ（ｕｎｒｅｃｏｒｄｅｄ  ＰＡＣ）領域のままである。
【００６７】
一実施形態によると、１つのＰＡＣ領域において、ＰＡＣが記録される領域に欠陥が発生すると、この欠陥領域の次の領域にＰＡＣを記録できる。このような欠陥は、ディスク表面の損傷または汚れなどの要因によって発生する。ＰＡＣが記録される領域に欠陥が発生する場合、この発生した欠陥領域の次の領域にＰＡＣ情報を記録できる。
【００６８】
以下、図８を参照しながら、複数の有効ＰＡＣの一例を説明する。この複数の有効ＰＡＣは、ディスクの制御可能な領域に関する様々な種類の情報を持つＰＡＣ領域に割り当てられる。
【００６９】
図８は、本発明の一実施形態によるディスク（例えば、高密度光ディスク）上で複数個のＰＡＣが管理するセグメント領域を示した図である。
【００７０】
図８に示すように、複数のＰＡＣを用いることによって、ディスク上の制御可能なセグメント領域を指定することができる。すなわち、ＰＡＣ＃０を通してディスク上のセグメント０（Ｓｅｇ＃０）およびセグメント１（Ｓｅｇ＃１）領域を、ＰＡＣ＃１を通してディスク上のセグメント０（Ｓｅｇ＃０）およびセグメント１（Ｓｅｇ＃１）領域を、ＰＡＣ＃２を通してディスク上のセグメント０（Ｓｅｇ＃０）領域を制御することができる。
【００７１】
この例においては、１つのＰＡＣによって管理される各セグメント領域は重複することがないが、図８に示したように互いに異なるＰＡＣによって管理される各セグメント領域は互いに重複することがある。
【００７２】
互いに異なるＰＡＣによって管理される各セグメント領域が互いに重複する場合において、この重複した領域に対する各ＰＡＣの制御内容が互いに一致しないこともある。
【００７３】
図８に示すように、ＰＡＣ＃０によって管理されるセグメント＃０領域と、ＰＡＣ＃１によって管理されるセグメント＃０領域とが互いに重複して、第１のオーバラップ領域を形成し、ＰＡＣ＃０によって管理されるセグメント＃１領域と、ＰＡＣ＃２によって管理されるセグメント＃０領域とが互いに重複して、第２のオーバラップ領域を形成する。
【００７４】
図示したように、互いに異なるＰＡＣによって管理されるセグメント領域の間にオーバラップ領域が発生する場合があり、重複したセグメント領域に対する制御が互いに一致しない場合がある。例えば、ＰＡＣ＃０のセグメント＃０に対する制御は書き込み／再生であり、一方で、ＰＡＣ＃１のセグメント＃０に対する制御は再生専用である場合もある。
【００７５】
本発明の一実施形態によれば、互いに異なるＰＡＣによって管理されるセグメント領域が互いに重複する場合において、このオーバラップ領域に対する制御のためにいくつかの異なる方法を適用できる。一実施形態では、論理和関数（ＯＲ function）が適用される。この場合、１つのＰＡＣが所定の制御動作を不許可と（排除）した場合、この動作は、他の１つのＰＡＣがこの動作を許可するかどうかと関係なしに不許可となる。すなわち、両方全てのＰＡＣが所定の制御動作を許可した場合に、このオーバラップ領域に対しこの動作を許可する。
【００７６】
例えば、上述した例の場合は、ＰＡＣ＃０によって管理されるセグメント＃０に対する制御は書き込み／再生であり、ＰＡＣ＃１によって管理されるセグメント＃０に対する制御は再生専用であるため、オーバラップセグメント領域に対する制御は再生専用になる。すなわち、ＰＡＣ＃０によって管理されるセグメント＃０に対して書き込み／再生の全てが許可され、ＰＡＣ＃１によって管理されるセグメント＃０に対して書き込みは許可されず再生のみが許可される場合、オーバラップセグメント領域に対しては、書き込みは許可されず再生のみが許可されるようになる。表１は、このような例を示したものである。
【００７７】
【表１】
0004707727.tif 000002
【００７８】
他の実施形態においては、論理積関数（ＡＮＤ  ｆｕｎｃｔｉｏｎ）が適用される。この場合、１つのＰＡＣが所定の制御動作を許可すると、他のＰＡＣがこの動作を許可するかどうかとは関係なしに、この動作を許可するようになる。例えば、もう１つの例では、ＰＡＣ＃０によって管理されるセグメント＃０の制御が書き込み／再生の全てを許可し、ＰＡＣ＃１によって管理されるセグメント＃０の制御は再生専用である場合、オーバラップセグメント領域に対する制御は、再生および書き込みの両方である。表２は、このような例を示したものである。
【００７９】
【表２】
0004707727.tif 000003
【００８０】
他の実施形態によると、他のブール演算関数（Ｂｏｏｌｅａｎ  ｏｐｅｒａｔｉｏｎ  ｆｕｎｃｔｉｏｎｓ）またはその組み合せも実施可能であり、これは、上述した本発明による各実施形態の説明によって明らかになるはずである。
【００８１】
本発明の他の実施形態では、互いに異なるＰＡＣが管理するセグメント領域が互いに重複する場合、新たに指定された（newly designated）ＰＡＣによって定義される制御に従うという方法を用いることもできる。
【００８２】
例えば、時間上で、ＰＡＣ＃０よりもＰＡＣ＃１が、そしてＰＡＣ＃１よりもＰＡＣ＃２がより新しく（more recently）指定されたＰＡＣである場合、それぞれのＰＡＣによって管理されるセグメント領域が互いに重複すると、新たに（またはより新しく：more
recently）指定されたＰＡＣによって制御することができる。以下、図８を参照しながらこれを説明する。
【００８３】
ＰＡＣ＃０によって管理されるセグメント＃０領域と、ＰＡＣ＃１によって管理されるセグメント＃０領域とが互いに重複し、ＰＡＣ＃０による制御が再生専用であって、ＰＡＣ＃１による制御が書き込み／再生である場合には、このオーバラップ領域に対する制御は、より新しい（newer）ＰＡＣであるＰＡＣ＃１によって定義されたよう、書き込み／再生を可能にする。
【００８４】
このような制御方法を、前述した実施形態の論理和関数と論理積関数と区別して、”新しい（Ｎｅｗ）ＰＡＣ規則”と呼ぶことができる。
【００８５】
他の実施形態においては、新しく指定されたＰＡＣに従わずに、既存のＰＡＣまたはより過去のＰＡＣ（またはその組み合せ）によって制御を定義することもできる。これは、本発明の実施形態の上述の説明から明らかである。
【００８６】
図９は、本発明の一実施形態による光記録再生装置の構成を示すブロック図である。
【００８７】
図９に示すように、本発明による光記録再生装置は、光ディスクの記録再生を行う記録／再生部１０と、これを制御するホストまたはコントローラ２０とを備える。一実施形態において、記録／再生部１０は、本発明の様々な実施形態で述べたように、”光ディスクドライブ”として動作できる。
【００８８】
一実施形態において、ホスト２０は、記録／再生部１０に、光ディスクの特定領域に対する書き込みまたは再生命令を下し、記録／再生部１０は、ホスト２０の命令にしたがって特定領域に対する記録／再生を行う。
【００８９】
記録／再生部１０は、ホスト２０とデータおよび命令を取り交わすなどの通信を行うインターフェース１２と、光ディスクにデータを直接書き込み読み取るピックアップ１１と、このピックアップ１１から信号を受信して所望の信号値に再生し、書き込まれた信号を光ディスクに書き込み可能な信号に変調するデータプロセッサ１３と、光ディスクから正確に信号を読み取り、光ディスクに信号を正確に書き込むようにピックアップ１１を制御するサーボ１４と、管理情報およびデータを含む多様な情報が一時保存されるメモリ１５と、記録／再生部１０の多様な構成要素を制御するマイコン１６と、を含む。
【００９０】
以下、このような光記録再生装置の例を用いながら、書き込み可能な高密度光ディスクにＰＡＣを記録する方法の一例を説明する。
【００９１】
光ディスクが光記録再生装置内に挿入されると、この光ディスクから管理情報を読み取って、記録／再生部１０内のメモリに保存することによって、光ディスクの記録再生時に活用することができる。
【００９２】
このような状態で、ユーザが光ディスクの特定領域に書き込みたい場合、ホスト２０は、これを書き込み命令にして、書き込みたい位置に対する情報と記録するデータとを一緒に記録／再生部１０に伝達する。
【００９３】
記録／再生部１０内のマイコン１６は、書き込み命令を受信し、メモリ１５に保存された各管理情報から、ホスト２０が書き込みたい光ディスク内の領域が欠陥領域であるかどうかを確認する。欠陥領域でない領域に、ホスト２０からの書き込み命令にしたがってデータの書き込みを行うことができる。
【００９４】
ディスク全体またはディスクの特定領域上への書き込みが従来バージョンの記録再生装置にはない新しい機能を含んでおり、従来バージョンの記録再生装置が認識できないと判断される場合、または、ユーザが設定した制限によってディスクの特定領域の書き込みまたは再生などの機能を制限する場合には、記録／再生部１０のマイコン１６は、この領域に関する制御情報をディスク上のＰＡＣ領域に”未知のＰＡＣ規則”として書き込むことができる。記録／再生部１０のマイコン１６は、記録された状態に対するＰＡＣ_ＩＤなどのＰＡＣ情報と、ディスクの特定領域に対する制御情報であるセグメント情報とを書き込むこともできる。
【００９５】
ＰＡＣ情報は、ＩＮＦＯ１領域上には、必要に応じて複数の有効ＰＡＣとしてそれぞれ１クラスタサイズで記録され、ＩＮＦＯ２領域のＰＡＣ２領域には、ＰＡＣ１領域に記録されたＰＡＣのコピーがバックアップ用として書き込まれる。
【００９６】
マイコン１６は、データが記録される領域またはＰＡＣゾーンの位置情報およびそのデータを、サーボ１４およびデータプロセッサ１３に伝達し、ピックアップ１１を通して光ディスク上の所望の位置において書き込みを完了させる。
【００９７】
以下、上記の方法によってＰＡＣ情報が記録された高密度光ディスクを記録再生する方法を説明する。
【００９８】
光ディスクが光記録再生装置内に挿入されると、光ディスクから管理情報を読み取って記録／再生部１０内のメモリに保存することによって、光ディスクの記録再生時に活用できるようにする。
【００９９】
メモリ１０に保存された情報には、ディスク上のＰＡＣ領域内に含まれた各種領域の位置情報が含まれる。特に、ＰＡＣ領域内の有効ＰＡＣに対する位置は、ディスク定義構造（Ｄｉｓｃ  Ｄｅｆｉｎｉｔｉｏｎ  Ｓｔｒｕｃｔｕｒｅ：ＤＤＳ）情報から知ることができる。有効ＰＡＣの位置が知られた後、ＰＡＣのＰＡＣ_ＩＤフィールドを確認し、そのＰＡＣ_ＩＤが、識別可能なＰＡＣ_ＩＤであるかどうかを確認することができる。
【０１００】
ＰＡＣ_ＩＤが識別可能である場合は、現在の記録再生装置とディスクにデータを記録した記録再生装置のバージョンが同一であり、または、別の記録／再生の制限がないと判断して、記録再生装置はホスト２０の命令に従いながら記録／再生を行う。
【０１０１】
また、ＰＡＣ_ＩＤを識別できない場合は、ディスクにデータを記録した記録再生装置と現在の記録再生装置のバージョンが異なると判断して、”未知のＰＡＣ規則”および”セグメント”を含むディスク上の記録／再生制限領域を参照して、ホスト２０の命令に従いながら記録／再生を行う。相異なるＰＡＣによって管理されるセグメント領域が互いに重複する場合、このオーバラップ領域に対する記録および／または再生に関する制御情報は、上述した規則のうち１つ以上を用いて、その相異なるＰＡＣが許可する制御に基づいて決定される。
【０１０２】
マイコン１６は、ホストの命令による位置情報およびデータをサーボ１４およびデータプロセッサ１３に伝達し、ピックアップ１１を通して光ディスク上の所望の位置において記録／再生を完了させる。
【０１０３】
当業者であれば、本発明の技術的思想または権利範囲から逸脱しない範囲で、上述した本発明の実施形態に対する多様な変更および修正が可能である。したがって、本発明は、添付された特許請求の範囲およびそれに均等なものに属する全ての修正および変更を含むものである。
【０１０４】
以上、本発明の実施形態に係る追記型の高密度光ディスクの記録再生方法および装置においては、ＰＡＣを用いて異なるバージョンのドライブのためのディスクのアクセス可能な領域を定義することで、ユーザデータの記録されたデータ領域を一層確実に保護することができ、例えば、不正なアクセス（例えばハッキング）を防止または減少させることができるという効果がある。
【０１０５】
また、ディスクのデータ領域全体または所定領域を管理するＰＡＣを用いることで、高密度光ディスクで一層効率的なデータの記録および／または再生を行うことができる。
【産業上の利用可能性】
【０１０６】
本発明は、ＰＡＣおよび記録データに対する管理と、ＰＡＣおよび記録データを含む記録媒体と、この記録媒体にデータを記録、再生する装置に利用できる。
【図面の簡単な説明】
【０１０７】
【図１Ａ】本発明の一実施形態による高密度光ディスク上のＰＡＣ領域を示す図である。
【図１Ｂ】本発明の一実施形態による高密度光ディスク上のＰＡＣ領域を示す図である。
【図２】本発明の一実施形態による高密度光ディスク上のＩＮＦＯ２領域およびＩＮＦＯ１領域を示した図である。
【図３】本発明の一実施形態による高密度光ディスクに記録されたＰＡＣを示す図である。
【図４】本発明の一実施形態による高密度光ディスク上のＰＡＣを示す図である。
【図５】本発明の一実施形態による”未知のＰＡＣ規則”フィールドを示す図である。
【図６】本発明の一実施形態による高密度光ディスク上のセグメント領域を示す図である。
【図７】本発明の一実施形態による高密度光ディスク上のＰＡＣ領域を示す図である。
【図８】本発明の一実施形態による高密度光ディスク上の複数のＰＡＣ領域によって管理されるセグメント領域を示す図である。
【図９】本発明の一実施形態による光記録再生装置を示す図である。
【符号の説明】
【０１０８】
１０  記録／再生部
１１  ピックアップ
１２  インタフェース
１３  データプロセッサ
１４  サーボ
１５  メモリ
２０  ホストまたはコントローラ
【図１Ａ】
0004707727.tif 000004
【図１Ｂ】
0004707727.tif 000005
【図２】
0004707727.tif 000006
【図３】
0004707727.tif 000007
【図４】
0004707727.tif 000008
【図５】
0004707727.tif 000009
【図６】
0004707727.tif 000010
【図７】
0004707727.tif 000011
【図８】
0004707727.tif 000012
【図９】
0004707727.tif 000013